(57)【要約】【課題】価格変更ラベルのラベル基材が透明であっても、裏面に位置する台紙１３を活用し、簡単かつ低コストの構成により変更バーコード表示部９のバーコードや二次元コードを適確に読み取り可能とする価格変更ラベルおよびその貼付け方法を提供すること。【解決手段】ラベル本体１１の裏面に仮着する台紙１３を、変更表示領域用台紙２１と透明領域用台紙２２とに分割可能とすることに着目し、ラベル本体１１の表面領域１４を所定割合に分割して形成した変更表示領域１６および透視領域１７を有し、変更表示領域１６の表面には価格の変更を表示可能とするとともに、透視領域１６には網点１９を形成し、さらに、台紙１３は、変更表示領域１６の裏面に積層する変更表示領域用台紙２１と、透視領域１７の裏面に積層する透明領域用台紙２２と、にこれを分割可能としてあることを特徴とする。【選択図】図２
2010107576.tif 000002
【特許請求の範囲】
【請求項１】
透明な基材から構成したラベル本体と、
このラベル本体の裏面に形成した粘着剤層と、
この粘着剤層の裏面に仮着可能な台紙と、を有し、
商品に表示されているその価格を変更するためにこの商品に貼り付ける価格変更ラベルであって、
前記ラベル本体の表面領域を所定割合に分割して形成した変更表示領域および透視領域を有し、
この変更表示領域の表面には、前記価格の前記変更を表示可能とするとともに、
前記透視領域には、網点を形成し、さらに、
前記台紙は、前記変更表示領域の裏面に積層する変更表示領域用台紙と、前記透視領域の裏面に積層する透明領域用台紙と、にこれを分割可能としてあることを特徴とする価格変更ラベル。
【請求項２】
前記透明領域用台紙を前記ラベル本体から剥離して前記粘着剤層により当該価格変更ラベルを貼り付け可能としていることを特徴とする請求項１記載の価格変更ラベル。
【請求項３】
前記網点は、
前記商品に表示されている前記価格に関連した光学読取り表示部の読取りを不可能とする一方、
前記商品に表示されている前記価格に関連した、人間の目視による必要なヒューマン表示部の読取りを可能とすることを特徴とする請求項１記載の価格変更ラベルおよびその貼付け方法。
【請求項４】
透明な基材から構成したラベル本体と、
このラベル本体の裏面に形成した粘着剤層と、
この粘着剤層の裏面に仮着可能な台紙と、を有し、
商品に表示されているその価格を変更するためにこの商品に貼り付ける価格変更ラベルの貼付け方法であって、
前記価格変更ラベルは、
前記ラベル本体の表面領域を所定割合に分割して形成した変更表示領域および透視領域を有し、
この変更表示領域の表面には、前記価格の前記変更を表示可能とするとともに、
前記透視領域には、網点を形成し、さらに、
前記台紙は、前記変更表示領域の裏面に積層する変更表示領域用台紙と、前記透視領域の裏面に積層する透明領域用台紙と、にこれを分割可能としてあり、
前記透明領域用台紙を前記ラベル本体から剥離して前記粘着剤層により当該価格変更ラベルを貼り付け可能としていることを特徴とする価格変更ラベルの貼付け方法。
【発明の詳細な説明】
【技術分野】
【０００１】
本発明は価格変更ラベルおよびその貼付け方法にかかるもので、とくに商品に表示されているその価格を変更するための価格変更ラベルおよびその貼付け方法に関するものである。
【背景技術】
【０００２】
従来の価格変更ラベルおよびその貼付け方法について、図７および図８にもとづき概説する。
図７は、従来の価格表示ラベル１および価格変更ラベル２の平面図である。
価格表示ラベル１は、その表面の表示部３に、品名表示部４と、価格表示部５と、バーコード表示部６（光学読取り表示部、価格関連情報表示部）と、ヒューマン表示部７（価格関連情報表部）と、を画成しており、それぞれ必要な情報を印字表示している。
なお、これらの表示情報は、商品の種類によっては、価格表示ラベル１を用いて、あるいは用いずに、その包装容器などの表面に直接印刷されている場合もある。
【０００３】
バーコード表示部６は、バーコードや二次元コードその他の光学読み取り可能な記号を表示した光学読取り表示部であって、具体的には商品およびその価格に関する管理番号や、その他の価格関連情報を表示する価格関連情報表示部である。
ヒューマン表示部７は、一般的には価格表示ラベル１の下方部に形成されていることが多く、バーコード以外の文字や記号であって、人が視認可能な文字や記号により、たとえば小売り店の店名やその住所および商品の内容その他、消費期限、加工日、内容量、加工者、販売店など、必要に応じて各種の価格関連情報を表示する価格関連情報表示部である。
【０００４】
価格変更ラベル２は、上記価格表示ラベル１により商品に表示されているその価格を変更するためにこの商品に貼り付ける、通常は値下げラベルである。
すなわち価格変更ラベル２は、値下げ価格表示部８と、バーコード表示部６の表示内容に変更がある場合にその変更内容に対応するバーコードを表示した変更バーコード表示部９と、を画成しており、それぞれ必要な情報を印字表示している。なお、値下げ価格表示部８は、図示している例以外にも、いくら値下げするかの情報を表示することもある。
【０００５】
図８は、価格変更ラベル２を価格表示ラベル１の一部に貼り付けた状態を示す平面図であって、価格変更ラベル２により価格表示ラベル１の価格表示部５を変更することを表示している状態を示している。
しかしながら、どの程度の値下げであるかを明示するために価格表示部５の表示内容は顧客が目視可能なように、価格変更ラベル２によりこれを覆うことなく残存させることが必要である。
また、レジにおいて担当者がバーコード表示部６の内容を読み取らないように、すなわち、変更バーコード表示部９の内容を読み取るように、一般的には、バーコード表示部６の少なくともそのバーコードの一部を隠蔽するように価格変更ラベル２を貼り付けることが望ましい。
【０００６】
この価格変更ラベル２を貼り付ける際に、図示のように、価格表示ラベル１の下方部に位置するヒューマン表示部７の部分まで被覆されてしまって、その表示内容を確認することが困難な場合があるという問題がある。
とくに、食品関係の商品については、ＪＡＳ法によりヒューマン表示部７の表示が義務付けられていて、価格変更ラベル２を貼り付けてもヒューマン表示部７の表示内容を目視可能に残存させる必要がある。
しかして、価格表示ラベル１に価格変更ラベル２を貼り付けるために十分な面積を有する領域を特別に設けることは、価格表示ラベル１の大型化を招き、コストアップになりかねないという別の問題がある。さらに、ヒューマン表示部７が表示する小売り店の店名やその住所および商品の内容その他、消費期限、加工日、内容量、加工者、販売店など各種の価格関連情報を価格表示ラベル１の上方部に位置させることも考えられるが、価格表示ラベル１としては、品名表示部４および価格表示部５を顧客の目に付く上方部に位置させることが望ましく、なによりも品名表示部４あるいは価格表示部５が価格変更ラベル２により覆われることは論外である。
また、価格が値下げされていることを顧客にアピールするために、値下げ価格表示部８を価格表示部５に隣接した位置に並列させる必要があり、価格表示部５に対して斜めに貼り付けることは避けなければならず、バーコード表示部６を隠すように貼り付けると、ヒューマン表示部７の一部を隠さざるを得ないという問題がある。
【０００７】
一方、価格変更ラベル２を価格表示ラベル１に貼り付けた際にも、価格変更ラベル２のラベル基材を透明基材から構成することにより、ヒューマン表示部７を透視可能なようにすることも考えられる。
しかしながら、価格変更ラベル２の変更バーコード表示部９のバーコードを読み取るために、当該透明基材の表面に光に対する反射率の高い地色（通常は白インキによる白色印刷）を形成する必要があるため、製造工程が複雑化し、製造コストが上昇してしまうという問題がある。
すなわち、価格変更ラベル２のラベル基材を透明基材から構成するような場合であっても、この透明基材の表面に特別な白色印刷処理などを行うことなく、簡単かつ低コストで価格変更後の変更バーコード表示部９の内容を適確に読み取り可能とすることが必要であるという問題がある。
【０００８】
【特許文献１】特開２００７−２４０８９０号公報
【発明の開示】
【発明が解決しようとする課題】
【０００９】
本発明は以上のような諸問題にかんがみなされたもので、価格表示ラベルの必要な表示部は目視可能に残しつつ、必要な値下げ表示などを行うことができる価格変更ラベルおよびその貼付け方法を提供することを課題とする。
【００１０】
また本発明は、価格変更ラベルを価格表示ラベルに貼り付けても、この価格変更ラベルを剥がすことなく、価格表示ラベルの必要な表示部分は視認可能とすることができる価格変更ラベルおよびその貼付け方法を提供することを課題とする。
【００１１】
また本発明は、価格表示ラベルのバーコード表示部と価格変更ラベルの変更バーコード表示部とを混同しないようにすることができる価格変更ラベルおよびその貼付け方法を提供することを課題とする。
【００１２】
また本発明は、価格表示ラベルの価格関連情報表示部（バーコード表示部）におけるバーコードなどの光学的読取りを不可能とし、他の価格関連情報表示部（ヒューマン表示部）の目視による確認は可能とする価格変更ラベルおよびその貼付け方法を提供することを課題とする。
【００１３】
また本発明は、価格変更後の価格変更ラベルにおける変更バーコード表示部の内容を適確に読み取り可能とすることができる価格変更ラベルおよびその貼付け方法を提供することを課題とする。
【００１４】
また本発明は、価格変更ラベルのラベル基材を透明な材料から構成した場合であっても、簡単かつ低コストの構成により変更バーコード表示部のバーコードや二次元コードを適確に読み取り可能とすることができる価格変更ラベルおよびその貼付け方法を提供することを課題とする。
【００１５】
また本発明は、価格変更ラベルのラベル基材を透明な材料から構成した場合であっても、裏面に位置する台紙を活用して、変更バーコード表示部のバーコードや二次元コードを適確に読み取り可能とすることができる価格変更ラベルおよびその貼付け方法を提供することを課題とする。
【課題を解決するための手段】
【００１６】
すなわち本発明は、ラベル本体を透明な基材から構成すること、価格表示ラベルのバーコード表示部などの価格関連情報表示部に被覆する価格変更ラベルに網点を設けて光学的読取りは不可能とする一方、この網点を透過して人間の目視による必要な表示部（ヒューマン表示部など）の読取りは可能とすること、およびラベル本体の裏面に仮着可能な台紙を、上記変更表示領域の裏面に積層する変更表示領域用台紙と、上記透視領域の裏面に積層する透明領域用台紙と、に分割可能とすることに着目したもので、第一の発明は、透明な基材から構成したラベル本体と、このラベル本体の裏面に形成した粘着剤層と、この粘着剤層の裏面に仮着可能な台紙と、を有し、商品に表示されているその価格を変更するためにこの商品に貼り付ける価格変更ラベルであって、上記ラベル本体の表面領域を所定割合に分割して形成した変更表示領域および透視領域を有し、この変更表示領域の表面には、上記価格の上記変更を表示可能とするとともに、上記透視領域には、網点を形成し、さらに、上記台紙は、上記変更表示領域の裏面に積層する変更表示領域用台紙と、上記透視領域の裏面に積層する透明領域用台紙と、にこれを分割可能としてあることを特徴とする価格変更ラベルである。
【００１７】
上記透明領域用台紙を上記ラベル本体から剥離して上記粘着剤層により当該価格変更ラベルを貼り付け可能としていることができる。
【００１８】
上記網点は、上記商品に表示されている上記価格に関連した光学読取り表示部の読取りを不可能とする一方、上記商品に表示されている上記価格に関連した、人間の目視による必要なヒューマン表示部の読取りを可能とすることができる。
【００１９】
第二の発明は、透明な基材から構成したラベル本体と、このラベル本体の裏面に形成した粘着剤層と、この粘着剤層の裏面に仮着可能な台紙と、を有し、商品に表示されているその価格を変更するためにこの商品に貼り付ける価格変更ラベルの貼付け方法であって、上記価格変更ラベルは、上記ラベル本体の表面領域を所定割合に分割して形成した変更表示領域および透視領域を有し、この変更表示領域の表面には、上記価格の上記変更を表示可能とするとともに、上記透視領域には、網点を形成し、さらに、上記台紙は、上記変更表示領域の裏面に積層する変更表示領域用台紙と、上記透視領域の裏面に積層する透明領域用台紙と、にこれを分割可能としてあり、上記透明領域用台紙を上記ラベル本体から剥離して上記粘着剤層により当該価格変更ラベルを貼り付け可能としていることを特徴とする価格変更ラベルの貼付け方法である。
【００２０】
上記変更表示領域には、上記変更表示領域用台紙が裏打ちされていることになるので、上記変更表示領域にバーコードや二次元コードなどによる価格関連情報（変更バーコード表示部）を表示することができる。
【００２１】
上記粘着剤層の粘着剤は、これを強粘着剤とすることが望ましく、上記変更表示領域用台紙から透明領域用台紙を分離して、この領域の粘着剤により当該価格変更ラベルを貼り付ける際の粘着力を確保する。
また、上記変更表示領域を剥ぎ取って、値下げ状態を示した価格変更ラベルを他の商品に貼り付ける行為（いわゆる不正貼替え行為）を行おうとした場合であっても、上記変更表示領域と上記透明領域との間にミシン目などを形成しておけば、両領域が互いに破けてしまって、不正貼替え行為を無効にすることができる。
【００２２】
上記変更表示領域および上記透視領域には、同一のラベル個別情報をそれぞれ表示しておき、上記変更表示領域と上記透視領域との分離を識別可能として、不正貼替え操作を防止可能とすることができる。
【発明の効果】
【００２３】
本発明による価格変更ラベルおよびその貼付け方法においては、価格表示ラベルにおけるバーコード表示部などの価格関連情報表示部に被覆する価格変更ラベルに所定透視度の網点を設けて、バーコードなどにおけるとくに白バー（スペース）に対するレーザー光の反射率のコントラストを黒バーに比較して相対的に低下させて光学的読取りは不可能とし、人間の目視による読取りは可能としたので、価格表示ラベルのバーコード表示部あるいはヒューマン表示部などの部分に価格変更ラベルを貼り付けても、バーコード表示部あるいはヒューマン表示部などの価格関連情報表示部を人間は読み取ることができるとともに、バーコードとして目視はできても光学的な読取りは行うことができず、レジにおいてバーコードスキャナーなどにより光学読取り操作を行う際に、価格表示ラベルのバーコード表示部と価格変更ラベルの変更バーコード表示部とを混同することはなく、値下げ処分の勘定を円滑に行うことができる。
さらに、ラベル本体の裏面に仮着可能な台紙を、変更表示領域の裏面に積層する変更表示領域用台紙と、透視領域の裏面に積層する透明領域用台紙と、に分割可能としたので、透明基材による価格変更ラベルにおける変更表示領域にバーコードや二次元コードなどによる価格関連情報（変更バーコード表示部）を表示した場合であっても、一般的には白色系の地色を構成可能な台紙が裏打ちとなってこれらの光学的読取りを確実に行うことができる。
【００２４】
とくに第一の発明の価格変更ラベルによれば、変更表示領域の裏面に積層する変更表示領域用台紙をはがすことなく、透明基材による価格変更ラベルにおける変更表示領域に変更バーコード表示部による価格関連情報を表示した場合であっても、一般的には白色系の地色を構成可能な台紙が裏打ちとなるため、この変更表示領域に白色インキなどを塗布処理する必要がなく、従来からの台紙を活用して、低コストかつ簡単にこれらの光学的読取りを確実に行うことができる。
【００２５】
とくに第二の発明の価格変更ラベルの貼付け方法によれば、変更表示領域の裏面に積層する変更表示領域用台紙をラベル本体からはがすことなく、透視領域の裏面に積層する透明領域用台紙のみをはがすことによって、この透視領域の部分のラベル本体のみを粘着剤層により価格変更ラベルを貼り付けることができる。
また、網点を形成した透視領域の部分を商品に表示されている表示部に重ね合わせるように貼り付けることとしたので、価格表示ラベルのヒューマン表示部にそれほど注意を払うことなく、バーコード表示部に注意を集中して価格変更ラベルを貼り付けることができ、値下げ作業を円滑に行うことができる。
【発明を実施するための最良の形態】
【００２６】
本発明は、透明な基材から構成した価格変更ラベルの透視領域の裏面側の透明領域用台紙のみをはがすことによって、ラベル本体の貼付け機能を保証するとともに、変更表示領域の裏面に積層する変更表示領域用台紙をはがすことなく、変更表示領域にバーコードや二次元コードなどによる価格関連情報を表示した場合であっても、一般的には白色系の地色を構成可能な台紙が裏打ちとなってこれらの光学的読取りを確実に行うことができる価格変更ラベルおよびその貼付け方法を実現した。
【実施例】
【００２７】
つぎに本発明の実施例による価格変更ラベルおよびその貼付け方法を図１ないし図６にもとづき説明する。ただし、図７および図８と同様の部分には同一符号を付し、その詳述はこれを省略する。
図１は、価格変更ラベル１０の平面図、図２は、図１のＩＩ−ＩＩ線断面図、図３は、価格変更ラベル１０の裏面図であって、価格変更ラベル１０は、透明なＰＥＴその他の透明基材から構成したラベル本体１１と、ラベル本体１１の裏面側に形成した透明な粘着剤層１２と、粘着剤層１２の裏面に仮着可能な剥離剤層を有する台紙１３と、を有する。
【００２８】
ラベル本体１１の表面側の表面領域１４は、これを所定割合に分割し、ミシン目１５を介して互いに隣り合うとともに互いに分離可能な変更表示領域１６および透視領域１７を形成している。この分割の割合は、図示の例ではほぼ半分としているが、変更表示領域１６および透視領域１７の表示内容量および透視領域１７の貼付け機能を考慮して選択可能である。
なお、図示の例では、変更表示領域１６および透視領域１７が互いに横並びになっている構成を示したが、価格表示ラベル１あるいは価格変更ラベル１０の表示レイアウトに応じて、変更表示領域１６および透視領域１７を縦並びに隣接させるようにすることもできる。
【００２９】
変更表示領域１６には、値下げ価格（値下げ価格表示部８）およびバーコード（変更バーコード表示部９）など価格の変更を表示可能とする。
さらに、変更表示領域１６および透視領域１７には、同一のラベル個別情報１８をそれぞれ表示して、不正貼替え行為（後述）による変更表示領域１６と透視領域１７との分離を識別可能とすることができる。
このラベル個別情報１８としては、価格変更ラベル１０すなわちこの価格変更ラベル１０を貼り付ける商品それぞれに固有のもので、価格変更ラベル１０を管理者が目視により識別可能であれば任意の表現形態を採用可能であって、価格変更ラベル１０を印字する任意のプリンター(図示せず)のカレンダー機能あるいは連続番号印字機能などによりこれを表示する。たとえば図示の例では、「１７日の０５時」に準備した(あるいは貼り付けた）価格変更ラベル１０であることを示している。
【００３０】
透視領域１７には、透視度が１５〜３５％の網点１９（たとえば３０％の網点）を形成して半透明とする。
なお、網点１９とは、細かい点を所定密度で印刷することにより、その下層側に積層位置する表示内容について、これを透かしてみることができるような、逆に言えばこれを透かして見にくくするような所定の透視度ないしは被覆効果を得るようにするものである。
【００３１】
図７に示すように、商品には、価格表示部５とともに、商品に関する価格関連情報を表示する光学読み取り可能なバーコード表示部６（光学読取り表示部）を表示しており、透視領域１７は、このバーコード表示部６の少なくとも一部を被覆可能として、レジにおいてバーコード表示部６のバーコードを読み取ることによる値下げ処理の誤りを回避可能とする。
【００３２】
透視領域１７の網点１９は、波長が４００〜６００ｎｍの色（紫、紺や青、緑など）によりこれを形成することが望ましい。
すなわち、一般的にバーコードの光学読取りに使用されている半導体レーザーは、波長６５０ｎｍの可視光が使用されており、たとえば価格表示ラベル１（図７）として地色が反射率の高い白色が一般的であるとき、そのバーコード表示部６におけるバーコードは、一般的に、白と反射率のコントラストが大きな黒、あるいは波長が４００〜６００ｎｍの色である紫、青や紺あるいは緑などで印刷されていることが多く、波長が４７０〜６００ｎｍ近傍の黄、橙、赤などの色は使用されていない。
換言すれば、紫、青や紺あるいは緑などの色は、白地に対して黒と同様にバー（黒バー）としてみなされ、一方、黄、橙、赤などの色は、白地に対してスペース（白バー）としてみなされることになる（特許文献１の図３を参照）。
【００３３】
したがって、透視領域１７の網点１９を波長が４００〜６００ｎｍの色によりこれを形成し、その透視度を１５〜３５％とすれば、価格表示ラベル１のバーコード表示部６は光学的には白地の反射率が１５〜３５％分だけ低下し、バーコードにおけるバーとスペースとの間のコントラストが低下する結果、ＰＣＳ（Ｐｒｉｎｔ  Ｃｏｎｔｒａｓｔ  Ｓｉｇｎａｌ）値が相対的に低下する。
なお、ＰＣＳ＝（スペースの反射率−バーの反射率）／スペースの反射率、であって、この値が７０％を下回るとバーコードとしての光学読取りが不可能となる。
このＰＣＳ値の低下によってバーコードを光学的に読み取ることが不可能となる一方、網点１９の透視度が１５〜３５％であるので、人間の目にはバーコード表示部６およびその近傍のヒューマン表示部７を十分に読み取ることができる。
もちろん、バーコードなど光学読取り記号については、その地色、読取りレーザー光の波長に応じて、透視領域１７の網点１９の色を選択することができる。
かくして、網点１９は、商品に表示されている価格に関連した光学読取り表示部６の読取りを不可能とする一方、商品に表示されている価格に関連した、人間の目視による必要なヒューマン表示部７の読取りを可能とする。
【００３４】
台紙１３は、上記ミシン目１５（図１、図２）に対応する部位に形成した分離切取り線２０により、変更表示領域１６の裏面に積層する変更表示領域用台紙２１と、透視領域１６の裏面に積層する透明領域用台紙２２と、にこれを分割分離可能としてある。
なお、台紙１３（変更表示領域用台紙２１、透明領域用台紙２２）の地色は、これを白色とすることが望ましい。
【００３５】
図４は、図２と同様の断面図であって、変更表示領域用台紙２１をはがさずにラベル本体１１に残したままで、透明領域用台紙２２をラベル本体１１から剥離し、露出した粘着剤層１２により当該価格変更ラベル１０を前記価格表示ラベル１（図７）に貼り付け可能としている。
【００３６】
こうした構成の価格変更ラベル１０を使用するにあたっては、図４に示したように、変更表示領域用台紙２１をはがさずにラベル本体１１の裏面に残したままで、透明領域用台紙２２をラベル本体１１から剥離し、露出した粘着剤層１２により、その透視領域１７の部分を商品に表示されている前記価格表示ラベル１（図７）の表示部（バーコード表示部６）に重ね合わせるように貼り付ける。
すなわち図５は、価格変更ラベル１０を価格表示ラベル１に貼り付けた状態を示す平面図であって、とくに価格変更ラベル１０の透視領域１７を価格表示ラベル１の少なくともバーコード表示部６におけるバーコードや二次コードの少なくとも一部あるいは全部、およびヒューマン表示部７の部分を覆うように貼り付けている。
なお、価格変更ラベル１０は、価格表示ラベル１の価格表示部５の価格表示を変更することがその第一義的な機能であり、したがって、その値下げ価格表示部８を価格表示部５に隣接した位置に並列させて、価格が値下げされていることを顧客が簡単に視認することができるように貼り付ける必要がある。とくに値下げ価格表示部８のヒューマン文字が価格表示部５の表示内容に対して逆さまであったり、９０度回転して貼り付けることがないようにする。
【００３７】
透視領域１７は、人の目による目視では半透明であり、ヒューマン表示部７に表示されている、たとえば店名やその住所および商品の内容その他の価格関連情報を確認することができる。
一方、バーコード表示部６のバーコードなどをバーコードスキャナーなどの光学読取り器（図示せず）により読み取る際には、網点１９を施された透視領域１７がバーコードの上に被覆されているため、この部分のＰＣＳ値が相対的に低下し、レジにおいては、価格表示ラベル１のバーコード表示部６におけるバーコードを読み取ることができず、すなわち変更前のバーコードなどを誤って読み取ることなく、価格変更ラベル１０の変更表示領域１６におけるバーコード（変更バーコード表示部９）を読み取り、適正な値下げ処理を行うことができる。
ただし、変更表示領域１６に表示した変更バーコード表示部９を機械的に読み取る際にも、変更表示領域１６には白色ラベルの変更表示領域用台紙２１が裏打ちされているので、ＰＣＳ値を必要なレベルで得ることが可能であってその読取り操作に支障はない。
【００３８】
なお、商品の顧客に対しては、価格表示ラベル１が表示する、バーコード表示部６およびヒューマン表示部７の部分を含む全体の表示部分を目視可能として隠蔽する部分がないので、値下げ処理を目立たせることができる。
【００３９】
さらに、価格変更ラベル１０の変更表示領域１６を取り去って、他の商品に貼り付けて不正に廉価の商品に見せかけようとする、いわゆる不正貼替え行為をある顧客が行おうとして、通常はこの変更表示領域１６を引っ張ると、価格変更ラベル１０を貼り付けている粘着剤層１２の粘着剤が強粘着性であるため、ミシン目１５の部分が破れて変更表示領域１６と透明領域１７とが分離して分かれてしまう。しかしながら、変更表示領域１６および透明領域１７には、同一のラベル個別情報１８が表示されているので、レジにおける精算の際に変更表示領域１６および透明領域１７それぞれにラベル個別情報１８がない場合、あるいはこのラベル個別情報１８が異なる場合には、この不正貼替え行為があったことと推測し、当該不正貼替え行為を防止することができる。
また、価格変更ラベル１０における変更表示領域１６には、変更表示領域用台紙２１が裏打ちされたまま残っているので、不正貼替え行為者は、この変更表示領域１６をまずつまんでこれを取り去ろうとすることになり、上述のように、変更表示領域１６部分のみを破いてしまうことになりかねないので、不正貼替え行為を行うためには、ミシン目１５が破れないように注意する必要があり、かえってこの不正貼替え行為を敢えて実行することをためらう可能性もあるという不正貼替え行為の抑止効果もある。
【００４０】
なお、価格変更ラベル１０の値下げ価格表示部８(変更バーコード表示部９)を再度変更する際に、変更表示領域１６の部分の裏面は、粘着剤層１２が変更表示領域用台紙２１により被覆されているので、ミシン目１５における変更表示領域１６の切り取り除去が容易である。
すなわち図６は、価格の再度変更にともなう、さらなる価格変更ラベル１０Ａの貼付け状態を示す平面図であり、価格変更ラベル１０Ａは価格変更ラベル１０とは値下げ価格表示部８および変更バーコード表示部９における表示内容が異なっているもので、ミシン目１５において切り取り除去した当初の価格変更ラベル１０の変更表示領域１６の代わりに、まだ残っている透明領域１７に価格変更ラベル１０Ａの透明領域１７Ａを貼り付けることができる。
【００４１】
かくして、新たな価格変更ラベル１０Ａにおける変更表示領域１６Ａに値下げ価格表示部８Ａおよび変更バーコード表示部９Ａを表示しているとともに、透明領域１７Ａに網点１９Ａを表示し、さらに、ラベル個別情報１８Ａを表示しておくことができ、既述の価格変更ラベル１０と同様に、値下げ情報を表示するとともに、不正貼替え行為を防止することができる。
【図面の簡単な説明】
【００４２】
【図１】本発明の実施例による価格変更ラベル１０の平面図である。
【図２】同、図１のＩＩ−ＩＩ線断面図である。
【図３】同、価格変更ラベル１０の裏面図である。
【図４】同、透明領域用台紙２２をラベル本体１１から剥離した状態の、図２と同様の断面図である。
【図５】同、価格変更ラベル１０を価格表示ラベル１に貼り付けた状態を示す平面図である。
【図６】同、価格の再度変更にともなう、さらなる価格変更ラベル１０Ａの貼付け状態を示す平面図である。
【図７】従来の価格表示ラベル１および価格変更ラベル２の平面図である。
【図８】同、価格変更ラベル２を価格表示ラベル１の一部に貼り付けた状態を示す平面図である。
【符号の説明】
【００４３】
１  価格表示ラベル（図７）
２  価格変更ラベル（値下げラベル）
３  表示部
４  品名表示部
５  価格表示部
６  バーコード表示部（光学読取り表示部、価格関連情報表示部）
７  ヒューマン表示部（価格関連情報表部）
８  値下げ価格表示部
８Ａ  値下げ価格表示部（図６）
９  変更バーコード表示部
９Ａ  変更バーコード表示部（図６）
１０  価格変更ラベル（実施例、図１）
１０Ａ  価格変更ラベル（図６）
１１  ラベル本体
１２  粘着剤層
１３  地色が白色の台紙
１４  ラベル本体１１の表面領域
１５  ミシン目
１５Ａ  ミシン目（図６）
１６  表面領域１４の変更表示領域
１６Ａ  変更表示領域（図６）
１７  表面領域１４の透明領域
１７Ａ  透明領域（図６）
１８  ラベル個別情報
１８Ａ  ラベル個別情報（図６）
１９  網点
１９Ａ  網点(図６)
２０  分離切取り線
２１  台紙１３の変更表示領域用台紙
２２  台紙１３の透明領域用台紙
【図１】
2010107576.tif 000003
【図２】
2010107576.tif 000004
【図３】
2010107576.tif 000005
【図４】
2010107576.tif 000006
【図５】
2010107576.tif 000007
【図６】
2010107576.tif 000008
【図７】
2010107576.tif 000009
【図８】
2010107576.tif 000010